(57)【要約】強磁性材料を含み、また特にロッキング配置に関連する、可動要素の位置および／または運動状態を検出するための検出器ユニットであって、前記検出器ユニットはリード・リレー（２）および永久磁石手段（１）を含んでいる。リード・リレー（２）は１つの場所で永久磁石手段（１）に固定され、そこにおいて永久磁石手段（１）によって供給される磁束は本質的な偏りを含むため、リード・リレー（２）は通常状態ではスイッチオンされない。
2004503071.tif 000002
【特許請求の範囲】
【請求項１】
強磁性材料を含み、また特にロッキング配置に関連する、可動要素の位置および／または運動状態を検出するための検出器ユニットであって、前記検出器ユニットがリード・リレー（２）および永久磁石手段（１）を含んでおり、リード・リレー（２）が１つの場所で前記永久磁石手段（１）に固定されており、そこにおいて、永久磁石手段（１）によって供給される磁束が本質的な偏りを含んでいるためリード・リレー（２）が通常状態でスイッチオンされないことを特徴とする検出器ユニット。
【請求項２】
請求項１に記載の検出器ユニットであって、リード・リレー（２）が、永久磁石（１）の磁極間で、磁束がその最小値を取る場所に位置することを特徴とする検出器ユニット。
【請求項３】
請求項１または２に記載の検出器ユニットであって、リード・リレー（２）が１つの場所に配置されており、そこにおいて永久磁石手段（１）の磁束に偏りが設けられるように、永久磁石手段（１）のその場所において、材料中に窪み、例えば孔（１ａ）、空洞、あるいは同様なものが設けられていることを特徴とする検出器ユニット。
【請求項４】
先行請求項のうち任意の請求項に記載の検出器ユニットであって、リード・リレー（２）が永久磁石手段（１）の表面上に例えば接着によって直接固定されていることを特徴とする検出器ユニット。
【請求項５】
先行請求項のうち任意の請求項に記載の検出器ユニットであって、永久磁石手段（１）が好ましくは矩形の形状をした、いくらか平坦な永久磁石（１）を含んでおり、それと組み合わさってリード・リレーが実施の異なる複数の場所にそのようなものとして組み込むことのできるコンパクトなユニットを構成することを特徴とする検出器ユニット。
【請求項６】
請求項５に記載の検出器ユニットであって、リード・リレー（２）が永久磁石（１）の細長い側面に取り付けられることを特徴とする検出器ユニット。
【請求項７】
先行請求項のうち任意の請求項に記載の検出器ユニットであって、リード・リレー（２）が電気回路につながれ、それの電圧が２４Ｖ程度で、それの電流が０．１Ａ程度であって、またリード・リレー（２）のスイッチオンによって生ずる電流パルスが、所望の制御動作を提供するための制御論理（１１）へ供給されるように配置されていることを特徴とする検出器ユニット。
【請求項８】
先行請求項のうち任意の請求項に記載の検出器ユニットであって、それがボルトと一緒に、そのボルトの位置を検出するためにフレームの側面に設けられたドア・ロックまたは同様なもののための受座（Ｓｔｒｉｋｉｎｇ　Ｐｌａｔｅ）（５）の背後に組み込まれることを特徴とする検出器ユニット。
【請求項９】
請求項８に記載の検出器ユニットであって、受座（５）に非強磁性保護板（６）が取り付けられ、それに対して検出器ユニット（４）が固定され、それが、ボルトが受座（５）の孔に挿入されたときに、検出器ユニット（４）とボルト（７）との間に位置するようになっていることを特徴とする検出器ユニット。
【請求項１０】
先行の請求項１−７に記載の検出器ユニットであって、それがドア・ロックまたは同様なもののためのロック・ケース（８）の内側に組み込まれるため、それが例えば補助ボルト（７ａ）や制御ソレノイド（９）のようなロック動作に関連する何らかの可動要素の位置を検出するようになっていることを特徴とする検出器ユニット。
【発明の詳細な説明】
【０００１】
本発明は、請求項１の前文に従って、強磁性材料を含み、特にロッキング配置に関連する可動要素の位置および／または運動状態を検出するための検出器ユニットに関するものであって、前記検出器ユニットはリード・リレーおよび永久磁石手段を含む。
【０００２】
ロッキングに関連して使用すべき電気制御システムは、異なる可動ユニットまたは構成要素の位置または運動状態を検出しなければならない。これに関して、特にマイクロスイッチを利用することが知られている。しかし、用途によっては、これらが非常に広いスペースを必要とし、また機械的接点を必要とすることがある。リード・リレーが検出器として機能するようになった別の解決法も複数ある。ドアや窓の位置を検出するために特にリード・リレーを使用することについては知られており、その場合リード・リレーに関連する電気回路が泥棒よけおよび警報システムの一部として接続されよう。基本的な別の方法はリード・リレーをフレーム中に動かないように固定して、永久磁石を可動部分やドアまたは窓に含め、前記部分が閉じた状態にある時に、リード・リレーの位置に来るようにするか、その逆のように配置するものである。
【０００３】
本発明の目的は新規で進歩した検出器配置を提供することであり、それは可動構成要素の位置または運動状態を検出するためにリード・リレーを使用することに基づいており、それは特にロッキング技術に関連する複数の異なる応用に適用できる。１つの目的は、より密接には、本検出器配置がその構造において簡単で、その動作において信頼性高く、またそのコストにおいて有利であることである。別の１つの目的は、コンパクトな寸法および形状を有し、応用の複数の異なる場所でそのようなものとして利用できるような検出器配置を提供することである。
【０００４】
本発明のこれらの目的は、請求項１およびその他の請求項に開示されるように達成することができる。本発明に従えば、リード・リレーは１つの場所で永久磁石に固定され、そこにおいて永久磁石によって供給される磁束が本質的な偏りを含むため、リード・リレーは通常状態ではスイッチオンされない。この解決法は簡単でコンパクトな検出器配置を提供することを可能とする。
【０００５】
１つの有利な実施の形態では、リード・リレーは永久磁石の磁極間の、磁束がその最小値となる場所に配置される。
【０００６】
別の実施の形態では、リード・リレーは１つの場所に配置され、そこには永久磁石手段の磁束に偏りが設けられるように、永久磁石手段のその場所において、材料中に窪み、例えば孔、空洞、あるいは同様なものが存在する。こうすることにより、その偏りは、リード・リレーがその位置に組み込まれたときに、スイッチオンされないように周囲の磁束から見て非常に大きくなければならない。
【０００７】
リード・リレーは、例えば接着によって永久磁石手段の表面に直接固定されるのが有利である。例えば、Ａｒａｌｄｉｔ（Ｒ）の商標名で市販されているエポキシ樹脂接着剤がこの目的に適している。
【０００８】
実際には、永久磁石手段は、好ましくは矩形をした、いくらか平坦な永久磁石を含み、それと組み合わさってリード・リレーが実施の異なる複数の場所にそのようなものとして組み込むことのできるコンパクトなユニットを構成する。この配置はわずかなスペースしか必要とせず、実施場所に容易に組み込むことができる。この目的のために、リード・リレーは永久磁石の細長い側面に取り付けるのが有利である。
【０００９】
リード・リレーは電気回路へ接続するのが有利であり、その回路の電圧は２４Ｖ程度で、電流は０．１Ａ程度である。この結果、検出器ユニットの動作信頼性を劣化させる危険性なしに、電力需要を低く保つことができる。リード・リレーがスイッチオンすることで発生する電流パルスは、更に、所望の制御動作を提供する制御論理へ供給することができる。
【００１０】
有利な実用的応用では、本検出器ユニットは、ボルトと一緒に、そのボルトの位置を検出するためにフレームの側面に設けられたドア・ロックあるいは同様なもののための受座（Ｓｔｒｉｋｉｎｇ Ｐｌａｔｅ）の背後に組み込まれる。受座にはつぎに非強磁性保護板が取り付けられ、それに対して検出器が固定されるが、それは前記ボルトを受座中の開口部に挿入したときに、検出器ユニットとボルトとの中間に位置することになる。この種の保護板はリード・リレーに対して影響を与えないので、本検出器ユニットは気づかれないように組み込むことができるし、外側から操作することはできない。
【００１１】
別の実用的な応用では、本検出器ユニットはドア・ロックあるいは同様なもののためのロック・ケースの内側に組み込まれるため、例えば補助ボルトや制御ソレノイドのようなロック動作に関連する何らかの可動要素の位置を検出できる。それのコンパクトな構造および小さい寸法のせいで、本発明に従う検出器ユニットは各種の実用的な目的に適用できる。
【００１２】
以下の説明で、本発明は添付図面を参照しながら一例として説明される。
【００１３】
図１および２において、参照符号１は平坦な永久磁石を示し、その狭い側面上にリード・リレー２が取り付けられている。永久磁石によって供給される磁束を示す磁束線３から分かるように、リード・リレー２を取り付ける場所は、磁石の磁極に対して図１に従う配置に選ばれており、そのため、それは互いに異なる方向の磁場間の中間位置に位置しており、それによってリード・リレー２はスイッチオンされない。これに対して、図２の配置では、永久磁石１の中に孔１ａが設けられていて、磁束線３から分かるように、磁束の偏りを誘起している。この場合、リード・リレー２は磁束に関する前記偏りの場所に位置している。孔１ａあるいは対応する窪みの寸法および場所は、当然ながら、この場合にもリード・リレー２がスイッチオンされないように選ばれる必要がある。
【００１４】
リレーのスイッチオンは、応用の各々の場所で、鉄やその他強磁性材料を含む要素が検出器ユニットの近傍に移動してきて、小さいが十分な磁束変化を前記偏り場所にもたらすときにだけ発生する。これによって、リード・リレーの接点は、それらが変化した磁場の影響下に入るため、閉じるし、これによって各々の場合にその応用に付随する電気回路は閉じる（例えば、図５を参照）。これに対して、強磁性材料を含む要素がリード・リレー２の近傍から遠ざかるときは、リレーの接点はそれらの元々の非スイッチ位置へ移動する。
【００１５】
検出器動作の観点から重要なことは、組み込まれた状態でリード・リレー２は永久磁石１に対して相対的に移動できないことである。これは例えば接着剤を用いて簡単に保証できる。実際には、この目的のために適した接着剤は、例えばＡｒａｌｄｉｔ（Ｒ）の商標名で市販されているエポキシ樹脂を含むようなものである。
【００１６】
本発明に従えば、リード・リレー２は永久磁石１の上に直接固定され、その配置が電子部品なしで有利に組み込まれるので、検出器ユニットはその寸法および形状においてはコンパクトに、またそのコストにおいては有利に製造できる。この種の検出器ユニットは応用の異なる複数の場所に容易に利用できるし、また特に改造もできる。
【００１７】
図３ａ、３ｂ、および３ｃは永久磁石１とリード・リレー２を含む検出器ユニット４の実施を、ドア・ロック用の受座５と関連付けて示している。この場合、検出器ユニットはロックのボルト７の位置を、従って更にはドアのロック状態を検出するために利用できる。実際には、非強磁性材料、例えばアルミでできた保護板６が受座５に固定され、それに対して検出器ユニット４を例えば接着によって固定できる。この場合、保護板６は磁束に対して何ら影響しないので、従ってそうであるためリレーの動作に対しても影響を与えない。
【００１８】
図４および５は応用を原理的に示しており、ここにおいて検出器ユニット４は、異なる複数の可動要素の位置を検出するために例えばドアの内側に組み込まれるようになったロック・ケース８の内側に組み込まれている。またこの例では、組み込みは例えば接着によって行なわれる。図４の場合、いわゆる補助ボルト７ａの位置が検出される。図示されていないドアを開くと、補助ボルト７ａは図４に示すように、ロック・ケースの前板８ａの開口部から突出する。これに対して、ドアを閉じると、補助ボルト７ａは、それの頭がドア・フレーム中に位置するロック用の受座に当たるので（図４には示されていない）、わずかに外に向けて突出できるのみとなる。この結果、補助ボルト７ａの内側端は検出器ユニット４の位置まで移動し、それによってそのリード・リレーがスイッチオンする。従って、この応用は、その他の任意の構成要素またはセンサーをドアおよび／またはドア・フレーム中に配置する必要なしに、ドアの位置を検出するために利用できる。更に、本検出器ユニットは目に見えないように隠され、従って保護される。
【００１９】
それの一部分についての図５の応用は１つの解決策を示しており、ここでは、ロック・ケース８の内側に位置するソレノイド９の動作位置を制御できる。ソレノイド９は、ロック動作に関する力を伝達するための異なる複数の配置としての必要に応じて、そのためのものとして使用されよう。例えば、それを用いることによって、動作軸からロック・ボルトへの力伝達接続を接続・切断することができる。図５はまた、検出器ユニットが適当な電源１０を備えた電気回路へ実際にはどのように接続されるか、それによってリード・リレーからの信号を、各ケースで動作状態を検出するための、および／または制御すべき目的場所に関する所望動作を提供するための適当な制御論理１１へ供給できるかを原理的に示している。
【００２０】
本発明は開示した実施の形態に限定されず、付属する特許請求項の範囲内でいくつかの修正が可能である。
【図面の簡単な説明】
【図１】
本発明に従う検出器ユニットを原理的に示す。
【図２】
本発明に従う別の検出器ユニットを原理的に示す。
【図３】
ａ、ｂ、ｃは本発明に従う検出器ユニットの実施をドア・ロックの受座と関連付けて示す。
【図４】
いくつかの異なる可動要素の位置を検出するためにロック・ケースの内側に組み込む、本発明に従う検出器ユニットを示す。
【図５】
いくつかの異なる可動要素の位置を検出するためにロック・ケースの内側に組み込む、本発明に従う検出器ユニットを示す。
【国際公開パンフレット】
2004503071.tif 000003
2004503071.tif 000004
2004503071.tif 000005
2004503071.tif 000006
2004503071.tif 000007
2004503071.tif 000008
2004503071.tif 000009
2004503071.tif 000010
2004503071.tif 000011
2004503071.tif 000012
2004503071.tif 000013
2004503071.tif 000014
2004503071.tif 000015
2004503071.tif 000016
2004503071.tif 000017
2004503071.tif 000018
2004503071.tif 000019
【手続補正書】
【提出日】平成14年5月31日(2002.5.31)
【手続補正１】
【補正対象書類名】明細書
【補正対象項目名】請求項１
【補正方法】変更
【補正の内容】
【請求項１】
強磁性材料を含み、またロッキング配置に関連する、可動要素の位置および／または運動状態を検出するための検出器ユニットであって、前記検出器ユニットがリード・リレー（２）および永久磁石手段（１）を含んでおり、リード・リレー（２）が１つの場所で前記永久磁石手段（１）の表面に直接固定されており、そこにおいて、永久磁石手段（１）によって供給される磁束が本質的な偏りを含んでいるためリード・リレー（２）が通常状態でスイッチオンされないことを特徴とする検出器ユニット。
【手続補正２】
【補正対象書類名】明細書
【補正対象項目名】請求項４
【補正方法】変更
【補正の内容】
【請求項４】
先行請求項のうち任意の請求項に記載の検出器ユニットであって、リード・リレー（２）が永久磁石手段（１）に接着によって直接固定されていることを特徴とする検出器ユニット。
【国際調査報告】
2004503071.tif 000020
2004503071.tif 000021
2004503071.tif 000022